(57)【要約】【課題】形状が簡単で低コストであり、なおかつ、鉄道分岐器への設置も容易な絶縁ブロックを提供する。【解決手段】絶縁ブロック２２は、基部２２ａが床板１６の垂直部１６ａに隣接してまくらぎ１４に密着した状態で、基部２２ａから床板１６の水平部１６ｂの厚みよりも高い位置にまで立ち上がる仕切り部２２ｂによって、床板１６の垂直部１６ａと水平部１６ｂとの寸法差分を埋めるものである。従って、釘や針金等の導電性の部品が絶縁板１８を避けるような状態で、左右の床板１６、１６の水平部１６ｂ、１６ｂ間を短絡するように、床板上に載ることを防ぐ衝立として機能することで、左右の床板１６、１６の短絡を回避することができる。【選択図】図１
2010229735.tif 000002
【特許請求の範囲】
【請求項１】
絶縁板を挟持する垂直部と該垂直部に比して幅広に形成されまくらぎに密着する水平部とを備える形態の、分岐器の左右一対の床板の、絶縁ブロックにおいて、
前記床板の垂直部に隣接して前記まくらぎに密着する基部と、該基部から前記床板の水平部の厚みよりも高い位置まで立ち上がる仕切り部とを備えることを特徴とする絶縁ブロック。
【請求項２】
前記仕切り部は、少なくとも前記基部の外形に沿って立設された壁を含むことを特徴とする請求項１記載の絶縁ブロック。
【請求項３】
前記仕切り部は、前記基部と同一の平面投影形状を有していることを特徴とする請求項２記載の絶縁ブロック。
【請求項４】
前記仕切り部は、前記床板の垂直部と平行に立設された壁であることを特徴とする請求項１記載の絶縁ブロック。
【請求項５】
前記仕切り部は、前記基部の中間部又は一端部に立設されていることを特徴とする請求項４記載の絶縁ブロック。
【発明の詳細な説明】
【技術分野】
【０００１】
本発明は、絶縁板を挟持する垂直部と該垂直部に比して幅広に形成されまくらぎに密着する水平部とを備える形態の、分岐器の左右一対の床板の、絶縁ブロックに関するものである。
【背景技術】
【０００２】
図５（ａ）に示されるように、鉄道分岐器１０を構成するレール１２（基本レール１２Ａ、トングレール１２Ｂ等）は、まくらぎ１４に固定された床板１６によって保持されている。そしてレール１２と床板１６との間は絶縁されていないことから、信号等を制御する微弱な電流に影響を及ぼすことのないように、床板１６を二分割して左右一対の床板を絶縁している。
又、一部の床板１６については、図５（ｂ）、（ｃ）に示されるように、床板１６は絶縁板１８（図１参照）を挟持する垂直部１６ａと、垂直部１６ａに比して幅広に形成されまくらぎ１４に密着する水平部１６ｂとを備えており、三枚の絶縁板１８Ａ、１８Ｂ、１８Ｃを介して左右一対の床板１６、１６をボルト２０で締結することで（図１参照）、左右一対の床板１６、１６間の絶縁性を確保している（例えば、特許文献１、２参照。）。
【先行技術文献】
【特許文献】
【０００３】
【特許文献１】特開平８−２６９９０１号公報
【特許文献２】特開２００２−３８４０３号公報
【発明の概要】
【発明が解決しようとする課題】
【０００４】
しかしながら、床板１６は水平部１６ｂに対して垂直部１６ａの幅が狭いことから、垂直部１６ａを避けて、左右の床板１６、１６の水平部間を短絡するように釘や針金等の導電性の部品が載ると、左右の床板１６、１６の絶縁が保たれなくなってしまう。かかる問題に対応するため、上記特許文献１、２に示されるカバーが実用化されているが、何れも形状が複雑でコスト高であり、又、鉄道分岐器１０への設置作業も困難であるといった欠点を有するものであった。
本発明は上記課題に鑑みてなされたものであり、その目的とするところは、形状が簡単で低コストであり、なおかつ、鉄道分岐器への設置も容易な絶縁ブロックを提供することにある。
【課題を解決するための手段】
【０００５】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）絶縁板を挟持する垂直部と該垂直部に比して幅広に形成されまくらぎに密着する水平部とを備える形態の、分岐器の左右一対の床板の、絶縁ブロックにおいて、前記床板の垂直部に隣接して前記まくらぎに密着する基部と、該基部から前記床板の水平部の厚みよりも高い位置まで立ち上がる仕切り部とを備える絶縁ブロック（請求項１）。
本項に記載の絶縁ブロックは、基部が床板の垂直部に隣接してまくらぎに密着した状態で、基部から床板の水平部の厚みよりも高い位置にまで立ち上がる仕切り部によって、床板の垂直部と水平部との寸法差分を埋めるものである。そして、釘や針金等の導電性の部品が絶縁板を避けるような状態で、左右の床板の水平部間を短絡するように、床板上に載ることを回避するものである。従って、仕切り部の高さは、上記機能を発揮し得る必要最低限の高さが確保されていれば良い。
なお、本絶縁ブロックは、基部をまくらぎに密着させて釘等によってまくらぎに固定することで、鉄道分岐器に適切に設置されるものである。
【０００７】
（２）上記（１）項において、前記仕切り部は、少なくとも前記基部の外形に沿って立設された壁を含む絶縁ブロック（請求項２）。
本項に記載の絶縁ブロックは、仕切り部が、少なくとも前記基部の外形に沿って立設された壁を含み、この壁が基部から床板の水平部の厚みよりも高い位置にまで立ち上がっていることから、床板の垂直部と水平部との寸法差分を埋め、釘や針金等の導電性の部品が絶縁板を避けるような状態で、左右の床板の水平部間を短絡するように、床板上に載ることを回避するものである。
【０００８】
（３）上記（２）項において、前記仕切り部は、前記基部と同一の平面投影形状を有している絶縁ブロック（請求項３）。
本項に記載の絶縁ブロックは、仕切り部は基部と同一の平面投影形状を有して、この壁が基部から床板の水平部の厚みよりも高い位置にまで立ち上がっていることから、床板の垂直部と水平部との寸法差分を埋め、釘や針金等の導電性の部品が絶縁板を避けるような状態で、左右の床板の水平部間を短絡するように、床板上に載ることを回避するものである。
【０００９】
（４）上記（１）項において、仕切り部は、前記床板の垂直部と平行に立設された壁である絶縁ブロック（請求項４）。
本項に記載の絶縁ブロックは、仕切り部は、前記床板の垂直部と平行に立設された壁であり、この壁が基部から床板の水平部の厚みよりも高い位置にまで立ち上がっていることから、床板の垂直部と水平部との寸法差分を埋め、釘や針金等の導電性の部品が絶縁板を避けるような状態で、左右の床板の水平部間を短絡するように、床板上に載ることを回避するものである。
【００１０】
（５）上記（４）項において、前記仕切り部は、前記基部の中間部又は一端部に立設されている絶縁ブロック（請求項５）。
本項に記載の絶縁ブロックは、仕切り部が、床板の垂直部と平行に立設された壁であって、基部の中間部又は一端部に立設されて、床板の水平部の厚みよりも高い位置にまで立ち上がっていることから、床板の垂直部と水平部との寸法差分を埋め、釘や針金等の導電性の部品が絶縁板を避けるような状態で、左右の床板の水平部間を短絡するように、床板上に載ることを回避するものである。
【発明の効果】
【００１１】
本発明はこのように構成したので、形状が簡単で低コストであり、なおかつ、鉄道分岐器への設置も容易な絶縁ブロックを提供することが可能となる。
【図面の簡単な説明】
【００１２】
【図１】本発明の実施の形態に係る絶縁ブロックが設置された、鉄道分岐器の床板を示すものであり、（ａ）は正面図、（ｂ）は平面図である。
【図２】本発明の実施の形態に係る別形状の絶縁ブロックが設置された、鉄道分岐器の床板を示すものであり、（ａ）は正面図、（ｂ）は平面図である。
【図３】本発明の実施の形態に係る別形状の絶縁ブロックが設置された、鉄道分岐器の床板を示すものであり、（ａ）は正面図、（ｂ）は平面図である。
【図４】本発明の実施の形態に係る別形状の絶縁ブロックが設置された、鉄道分岐器の床板を示すものであり、（ａ）は正面図、（ｂ）は平面図である。
【図５】（ａ）は鉄道分岐器の平面図、（ｂ）は鉄道分岐器を構成する左右一対の床板の平面図、（ｃ）は（ｂ）に示される左右一対の床板の正面図である。
【発明を実施するための形態】
【００１３】
以下、本発明を実施するための最良の形態を添付図面に基づいて説明する。ここで、従来技術と同一部分、若しくは相当する部分については、同一符号で示し、詳しい説明を省略する。
【００１４】
本発明の実施の形態に係る絶縁ブロックは、図１から図４に例示されるように、絶縁板を挟持する垂直部１６ａと、垂直部１６ａに比して幅広に形成されまくらぎ１４に密着する水平部１６ｂとを備える形態の、分岐器の左右一対の床板１６、１６間の、絶縁性をより確実なものとするためのものである。そして、図１から図４に示された各絶縁ブロック２２、２４、２６、２８は、床板１６、１６の垂直部１６ａ、１６ａに隣接してまくらぎ１４に密着する基部２２ａ、２４ａ、２６ａ、２８ａと、基部２２ａから床板１６の水平部１６ｂの厚みよりも高い位置まで立ち上がる仕切り部２２ｂ、２４ｂ、２６ｂ、２８ｂとを備え、いずれも絶縁ゴムで一体成形されたものである。
【００１５】
より具体的には、図１に示される絶縁ブロック２２は、基部２２ａが床板１６、１６の端面に沿った平板状に形成され、仕切り部２２ｂは基部２２ａの外形の三辺に沿って壁状に立設されている。そして、基部２２ａをまくらぎ１４に密着させ、コンクリート釘３０によって基部２２ａをまくらぎ１４に固定するものである。又、コンクリート釘３０に替えて（若しくは併用して）、木ねじや接着剤による固定を行うこととしても良い（以下、図２〜図４の例も同様）。
一方、図２に示される絶縁ブロック２４は、図１の基部２２ａと同一の平面投影形状を有する基部２４ａから、仕切り部２４ｂが基部２４ａと同一の平面投影形状を有して、床板１６の水平部１６ｂの厚みよりも高い位置まで立ち上がっているものである。すなわち、基部２４ａと仕切り部２４ｂとが連続形状をなしている。この場合には、基部２４ａをまくらぎ１４に密着させ、コンクリート釘３０を仕切り部２４ｂ、基部２４ａに貫通させて、まくらぎ１４に固定するものである。
【００１６】
又、図３、図４に示される絶縁ブロック２６、２８は、基部２６ａ、２８ａが矩形の平板状に形成され、仕切り部２６ｂ、２８ｂは床板１６の垂直部１６ａと平行に立設された壁となっている。そして、図３の絶縁ブロック２６は、仕切り部２６ｂが基部２６ａの中間部（図示の例では中央部）に立設され、図４の絶縁ブロック２８は、仕切り部２８ｂが基部２８ａの一端部に立設されているものである。そして、図３、図４の例においても、基部２６ａ、２８ａをまくらぎ１４に密着させ、コンクリート釘３０によって基部２６ａ、２８ａをまくらぎ１４に固定するものである。
なお、上記のごとき形状の相違から、図２の絶縁ブロック２４は成型用金型の形状が最も単純となる。一方、図１、図３、図４の絶縁ブロック２２、２６、２８は、絶縁ゴムの使用量が少なくて済み、なおかつ、コンクリート釘３０がより短いものでも、まくらぎ１４に対し確実に固定することが可能である。
【００１７】
上記構成をなす、本発明の実施の形態によれば、次のような作用効果を得ることが可能である。すなわち、本発明の実施の形態に係る絶縁ブロック２２、２４、２６、２８は、基部２２ａ、２４ａ、２６ａ、２８ａが床板１６の垂直部１６ａに隣接してまくらぎ１４に密着した状態で、基部２２ａ、２４ａ、２６ａ、２８ａから床板１６の水平部１６ｂの厚みよりも高い位置にまで立ち上がる仕切り部２２ｂ、２４ｂ、２６ｂ、２８ｂによって、床板１６の垂直部１６ａと水平部１６ｂとの寸法差分を埋めるものである。従って、釘や針金等の導電性の部品が絶縁板１８を避けるような状態で、左右の床板１６、１６の水平部１６ｂ、１６ｂ間を短絡するように、床板上に載ることを防ぐ衝立として機能することで、左右の床板１６、１６の短絡を回避することができる。
【符号の説明】
【００１８】
１０：鉄道分岐器、１４：まくらぎ、１６：床板、  １８、１８Ａ、１８Ｂ、１８Ｃ：絶縁板、  ２２、２４、２６、２８：絶縁ブロック、  ２２ａ、２４ａ、２６ａ、２８ａ：基部、  ２２ｂ、２４ｂ、２６ｂ、２８ｂ：仕切り部
【図１】
2010229735.tif 000003
【図２】
2010229735.tif 000004
【図３】
2010229735.tif 000005
【図４】
2010229735.tif 000006
【図５】
2010229735.tif 000007